(57)【要約】【課題】保護領域における電子データの誤消去を防止することができる電子カメラを提供することを目的とする。【解決手段】レリーズキー１４ａを押下して、撮影レンズ１１，ＣＣＤセンサ３１，Ａ／Ｄ変換回路３２，画像入力コントローラ３３，ＣＰＵ３６で動画を表わす電子データをメモリ３８に記録している途中で、その電子データに、保護キー１４ｂを押下して保護領域設定データを付して１つの記録単位として記録するとともに画像信号処理回路３４，圧縮処理回路３５，メディアコントローラ３７で記録メディア１００に記録し、消去キー１４ｃを押下してその保護領域における電子データのみを抽出するとともに、その保護領域以外の電子データを消去する。【選択図】        図３
2004328235.tif 000002
【特許請求の範囲】
【請求項１】
動画撮影を行なって該動画撮影により得られた動画を表わす電子データを記録する電子カメラにおいて、
撮影開始および撮影停止を指示する撮影指示操作子と、
保護開始および保護停止を指示する保護指示操作子と、
撮影開始指示から撮影停止指示までの間動画撮影を行なう撮影部と、
前記撮影指示操作子の指示による撮影開始指示から撮影停止指示までの間の前記撮影部による動画撮影により得られた電子データに、前記保護指示操作子による保護開始指示から保護停止指示までの領域からなる保護領域を設定する保護領域設定データを付して１つの記録単位として記録する記録部と、
記録単位を指定して指定した記録単位の消去を指示する消去指示操作子とを備え、
前記記録部は、前記消去指示操作子により消去が指示された記録単位について、該記録単位中に保護領域が設定されている場合の該保護領域を別の記録単位として記録するとともに、消去が指示された記録単位全体については消去するものであることを特徴とする電子カメラ。
【請求項２】
動画撮影を行なって該動画撮影により得られた動画を表わす電子データを記録する電子カメラにおいて、
撮影開始および撮影停止を指示する撮影指示操作子と、
保護開始および保護停止を指示する保護指示操作子と、
撮影開始指示から撮影停止指示までの間動画撮影を行なう撮影部と、
前記撮影指示操作子の指示による撮影開始指示から撮影停止指示までの間の前記撮影部による動画撮影により得られた電子データを、前記保護指示操作子による保護開始指示および保護停止指示のいずれかが行なわれたタイミングで区切ることにより記録単位を形成し、形成された各記録単位を、保護開始指示から保護停止指示までの記録単位には保護すべき記録単位である旨を表わすデータを付して記録する記録部と、
記録単位を指定して指定した記録単位の消去を指示する消去指示操作子とを備え、
前記記録部は、前記消去指示操作子により消去が指示された記録単位について、該記録単位が保護すべき記録単位であるか否かに応じて消去を拒否しあるいは該記録単位を消去するものであることを特徴とする電子カメラ。
【発明の詳細な説明】
【０００１】
【発明の属する技術分野】
本発明は、動画撮影を行なってその動画撮影により得られた動画を表わす電子データを記録する電子カメラに関する。
【０００２】
【従来の技術】
従来より、記録媒体に記録された画像を表わす電子データを保護するための技術がいくつか提案されている。例えば、特許文献１には、監視カメラにより撮影された監視画像を表わす電子データを記録媒体に記録するにあたり、異常事象の発生時点から一定時間前後における電子データが占める記録領域を保護領域に設定することで、その保護領域における電子データを上書きされないように保護する技術が提案されている。
【０００３】
また、特許文献２には、連写機能を有する電子カメラにおいて、連写撮影により記録媒体に記録された複数画面分の電子データのうち、操作子で指定された所望の画面を表わす電子データが記録された領域を保護領域に指定することにより、その領域に記録された電子データを上書きされないように保護する技術が提案されている。
【０００４】
【特許文献１】
特開平１０−６６０６１号公報
【特許文献２】
特開２０００−２９５５５５号公報
【０００５】
【発明が解決しようとする課題】
上述した特許文献１や特許文献２に提案された技術では、保護が必要な電子データは保護領域に記録され、保護が不要な電子データはそれ以外の領域に記録される。ここで、保護が不要な所定の電子データを消去したい場合、記録媒体には保護領域とそれ以外の領域とが混在しており、これらの領域のなかから、上記所定の電子データが記録されている領域を特定するための制御（管理）は複雑である。従って、ユーザの、保護領域の誤解除等により、その保護領域に記録された電子データの誤消去が発生しやすいという問題がある。
【０００６】
本発明は、上記事情に鑑み、保護領域に記録された電子データの誤消去を防止することができる電子カメラを提供することを目的とする。
【０００７】
【課題を解決するための手段】
上記目的を達成する本発明の電子カメラのうちの第１の電子カメラは、動画撮影を行なってその動画撮影により得られた動画を表わす電子データを記録する電子カメラにおいて、
撮影開始および撮影停止を指示する撮影指示操作子と、
保護開始および保護停止を指示する保護指示操作子と、
撮影開始指示から撮影停止指示までの間動画撮影を行なう撮影部と、
上記撮影指示操作子の指示による撮影開始指示から撮影停止指示までの間の上記撮影部による動画撮影により得られた電子データに、上記保護指示操作子による保護開始指示から保護停止指示までの領域からなる保護領域を設定する保護領域設定データを付して１つの記録単位として記録する記録部と、
記録単位を指定して指定した記録単位の消去を指示する消去指示操作子とを備え、
上記記録部は、上記消去指示操作子により消去が指示された記録単位について、その記録単位中に保護領域が設定されている場合のその保護領域を別の記録単位として記録するとともに、消去が指示された記録単位全体については消去するものであることを特徴とする。
【０００８】
本発明の第１の電子カメラは、撮影指示操作子の撮影開始指示により得られた動画を表わす電子データに、保護指示操作子による保護開始指示から保護停止指示までの領域からなる保護領域を設定する保護領域設定データを付して、記録媒体上に１つの記録単位として記録するものであるため、ある動画を表わす電子データが保護されているか否かは、その電子データに保護領域設定データが付されているか否かを確認すれば済む。従って、記録媒体の、保護が必要な領域と不要な領域との管理が簡素化され、その記録媒体の保護領域における電子データの誤消去を防止することができる。また、消去指示操作子により消去が指示されると、保護領域を１つの記録単位として記録するとともに、保護領域を除く領域における電子データは消去されるため、保護領域における電子データのみを簡単に抽出することができる。
【０００９】
また、上記目的を達成する本発明の電子カメラのうちの第２の電子カメラは、動画撮影を行なってその動画撮影により得られた動画を表わす電子データを記録する電子カメラにおいて、
撮影開始および撮影停止を指示する撮影指示操作子と、
保護開始および保護停止を指示する保護指示操作子と、
撮影開始指示から撮影停止指示までの間動画撮影を行なう撮影部と、
上記撮影指示操作子の指示による撮影開始指示から撮影停止指示までの間の上記撮影部による動画撮影により得られた電子データを、上記保護指示操作子による保護開始指示および保護停止指示のいずれかが行なわれたタイミングで区切ることにより記録単位を形成し、形成された各記録単位を、保護開始指示から保護停止指示までの記録単位には保護すべき記録単位である旨を表わすデータを付して記録する記録部と、
記録単位を指定して指定した記録単位の消去を指示する消去指示操作子とを備え、
上記記録部は、上記消去指示操作子により消去が指示された記録単位について、その記録単位が保護すべき記録単位であるか否かに応じて消去を拒否しあるいはその記録単位を消去するものであることを特徴とする。
【００１０】
本発明の第２の電子カメラは、撮影指示操作子の指示により得られた電子データを、保護指示操作子による保護開始指示および保護停止指示のいずれかが行なわれたタイミングで区切ることにより記録単位とし、各記録単位を、保護開始指示から保護停止指示までの記録単位には保護すべき旨のデータを付して記録するものであるため、保護すべき電子データには保護すべき旨のデータが付されて記録単位で記録される。従って、記録媒体の、保護が必要な領域と不要な領域との管理が簡素化され、その記録媒体の保護領域における電子データの誤消去を防止することができる。また、消去指示操作子により、保護領域における電子データのみを簡単に抽出することができる。
【００１１】
【発明の実施の形態】
以下、本発明の実施形態について説明する。
【００１２】
図１は、本発明の第１の電子カメラの一実施形態を前面斜め上から見た外観斜視図、図２は、図１の電子カメラを背面斜め上から見た外観斜視図である。
【００１３】
本実施形態の電子カメラ１は、動画撮影を行なってその動画撮影により得られた動画を表わす電子データを記録する電子カメラであり、図１に示すように、この電子カメラ１の前面中央部には、撮影レンズ１１が備えられている。また、この電子カメラ１の前面上部には、光学式ファインダ対物窓１２、補助光発光部１３、および音声を集音するためのマイクロフォン１６が備えられている。さらに、この電子カメラ１の上面には、キー入力部１４が備えられている。キー入力部１４は、レリーズキー１４ａと、保護キー１４ｂと、消去キー１４ｃとから構成されている。
【００１４】
レリーズキー１４ａは、本発明にいう撮影指示操作子に相当し、一度押下されると動画の撮影開始を指示し、再度押下されると動画の撮影停止を指示するキースイッチである。
【００１５】
保護キー１４ｂは、本発明にいう保護指示操作子に相当し、一度押下されると保護開始を指示し、再度押下されると保護停止を指示するキースイッチである。
【００１６】
消去キー１４ｃは、本発明にいう消去指示操作子に相当し、記録単位を指定して指定した記録単位の消去を指示するキースイッチである。これらレリーズキー１４ａ，保護キー１４ｂ，消去キー１４ｃの指示による動作については後述する。
【００１７】
また、電子カメラ１の上面には、スライド式の電源スイッチ１５が備えられている。
【００１８】
さらに、図２に示すように、この電子カメラ１の背面には、光学式ファインダ接眼窓１７と、撮影モード等のメニューを表示するためのメニュースイッチ１８と、そのメニュースイッチ１８で表示された項目を選択したり再生画像を切り換えるための実行／画面切換スイッチ１９と、画像モニタ２０とが備えられている。さらに、放音を行なうためのスピーカ２１も備えられている。
【００１９】
図３は、図１に示す電子カメラの回路構成を示すブロック図である。
【００２０】
この電子カメラ１には、バスライン４１を介して互いに接続された、前述したレリーズキー１４ａ，保護キー１４ｂ，消去キー１４ｃからなるキー入力部１４と、音声コントローラ３９が備えられている。音声コントローラ３９は、マイクロフォン１６からの音声を集音し、集音した音声をスピーカ２１で放音する。
【００２１】
また、この電子カメラ１には、撮影レンズ１１を通して被写体を結像する撮像素子であるＣＣＤセンサ３１と、ＣＣＤセンサ３１から出力されたアナログの画像信号をデジタルの電子データに変換するＡ／Ｄ変換回路３２とが備えられている。
【００２２】
さらに、この電子カメラ１には、バスライン４２を介して互いに接続された、画像モニタ２０と、画像入力コントローラ３３と、画像信号処理回路３４と、圧縮処理回路３５と、ＣＰＵ３６と、メディアコントローラ３７と、メモリ（ＳＤＲＡＭ）３８とが備えられている。
【００２３】
画像モニタ２０は、レリーズキー１４ａの指示による撮影開始指示から撮影停止指示までの間、メモリ３８に格納された電子データに基づいて動画を表示する。また、この画像モニタ２０は、撮影モード等のメニューや再生画像を表示する。
【００２４】
画像入力コントローラ３３は、Ａ／Ｄ変換回路３２からの電子データを入力してメモリ３８に格納する。
【００２５】
画像信号処理回路３４は、メモリ３８に格納された電子データを圧縮可能なように処理する。
【００２６】
圧縮処理回路３５は、圧縮可能なように処理された電子データを圧縮する。
【００２７】
ＣＰＵ３６は、このカメラ１全体を制御する。尚、このＣＰＵ３６の一部の機能、および上記撮影レンズ１１，ＣＣＤセンサ３１，Ａ／Ｄ変換回路３２，画像入力コントローラ３３，画像モニタ２０が、本発明にいう撮影部に相当する。
【００２８】
メディアコントローラ３７は、ＣＰＵ３６によってファイル形式に変換された圧縮済みの電子データを記録メディア１００に記録する。
【００２９】
メモリ３８は、ＣＰＵ３６および画像入力コントローラ３３により制御され、このメモリ３８には、レリーズキー１４ａの指示による撮影開始指示から撮影停止指示までの間の動画撮影により得られた電子データに、保護キー１４ｂによる保護開始指示から保護停止指示までの領域からなる保護領域を設定する保護領域設定データが付されて１つの記録単位として記録される。また、メモリ３８に記録された記録単位を表わす電子データは、ＣＰＵ３６，画像信号処理回路３４，圧縮処理回路３５，メディアコントローラ３７を経由して圧縮されて記録メディア１００に記録される。尚、これらＣＰＵ３６，画像入力コントローラ３３，画像信号処理回路３４，圧縮処理回路３５，メディアコントローラ３７，メモリ３８，記録メディア１００が、本発明にいう記録部に相当する。以下、図４および図５を参照して詳細に説明する。
【００３０】
図４は、図３に示すメモリの、動画撮影における記録単位のフォーマットを示す図、図５は、図３に示すメモリの、消去キーにより抽出された第１保護領域だけで構成される記録単位のフォーマットを示す図である。
【００３１】
このメモリ３８は、図４に示すように、ヘッダ領域３８ａと動画領域３８ｂを有する。ヘッダ領域３８ａには、第１保護領域を設定する開始位置および終了位置を表わす保護領域設定データ，第２保護領域を設定する開始位置および終了位置を表わす保護領域設定データ，第３保護領域を設定する開始位置および終了位置を表わす保護領域設定データ等が記録される。また、動画領域３８ｂには、動画撮影により得られた動画を表わす電子データが記録される。
【００３２】
動画撮影を行なうには、先ず、レリーズキー１４ａを押下する。すると、動画領域３８ｂに動画を表わす電子データが順次に記録される。
【００３３】
動画撮影の途中で保護キー１４ｂを押下すると、ヘッダ領域３８ａには第１保護領域を設定する開始位置を表わす保護領域設定データが記録され、再度保護キー１４ｂを押下すると、ヘッダ領域３８ａには第１保護領域を設定する終了位置を表わす保護領域設定データが記録される。図４に示す動画領域３８ｂには、この開始位置および終了位置が示されている。これら開始位置および終了位置により第１保護領域が確保される。
【００３４】
さらに、保護キー１４ｂを繰り返し押下することにより、ヘッダ領域３８ａには第２保護領域を設定する開始位置および終了位置を表わす保護領域設定データ、第３保護領域を設定する開始位置および終了位置を表わす保護領域設定データ等が順次に記録される。次いで、レリーズキー１４ａを押下すると動画撮影が停止し、これに伴いメモリ３８への電子データの記録が終了する。ここで、図４に示すヘッダ領域３８ａおよび動画領域３８ｂが、本発明にいう１つの記録単位に相当し、最終的に記録メディア１００に、この１つの記録単位が記録される。
【００３５】
記録メディア１００に記録された１つの記録単位に対して、消去キー１４ｃを押下して消去を指示する。ここでは、１つの記録単位中に第１保護領域のみが設定されているものとして説明する。メモリ３８を構成するヘッダ領域３８ａには、第１保護領域を設定する開始位置および終了位置を表わす保護領域設定データが複写される。また、動画領域３８ｂには第１保護領域だけで構成される電子データが複写される。さらに、第１保護領域の電子データを除く電子データについては消去される。
【００３６】
尚、ヘッダ領域３８ａに保護領域が存在しなければ消去対象動画を表わす電子データを即座に消去する。また、ヘッダ領域３８ａに複数の保護領域が存在すれば各保護領域毎に１つの記録単位を表わす電子データ（動画）を順次メモリ３８に複写し、さらに記録メデイア１００にこれら全てを記録し消去対象の動画を表わす電子データについては消去する。尚、記録メディア１００に記録されている１つの記録単位を表わす電子データが、その記録メディア１００の全領域にわたり保護領域である場合は消去されることはない。
【００３７】
本実施形態の電子カメラ１は、上述したように、レリーズキー１４ａの撮影開始指示により動画撮影が行なわれ、その動画撮影の途中で保護キー１４ｂによる保護開始指示から保護停止指示が行なわれると、動画を表わす電子データに、その保護開始指示から保護停止指示までの領域からなる保護領域を設定する保護領域設定データを付し、さらにレリーズキー１４ａの撮影停止指示により動画撮影が停止して、メモリ３８や記録メディア１００の記録媒体に１つの記録単位として記録するものである。このため、記録単位中に保護領域が設定されることとなり、ある動画が保護されているか否かは、その電子データに保護領域設定データが付されているか否かを確認すれば済む。従って、記録媒体の、保護が必要な領域と不要な領域との管理が簡素化され、その記録媒体の保護領域における電子データの誤消去を防止することができる。また、消去キー１４ｃにより消去が指示されると、記録単位中に保護領域が設定されている場合、その保護領域を１つの記録単位として記録するとともに、その保護領域を除く領域における電子データについては消去されるため、保護領域における電子データのみを簡単に抽出することができる。
【００３８】
尚、本実施形態の電子カメラ１には、マイクロフォン１６からの音声を集音し、集音した音声をスピーカ２１で放音する音声コントローラ３９が備えられている。そこで、保護キー１４ｂによる保護開始指示および保護停止指示に代えて、音声による保護開始指示および保護停止指示を行なって保護領域の開始位置および終了位置を決定してもよい。
【００３９】
図６は、本発明の第２の電子カメラの一実施形態の回路構成を示すブロック図である。
【００４０】
尚、本実施形態の電子カメラ２の外観斜視図は、図１、図２に示す電子カメラ１の外観斜視図と同じである。
【００４１】
本実施形態の電子カメラ２は、前述した電子カメラ１と比較し、画像入力コントローラ４３、ＣＰＵ４６、メモリ４８が異なっている。メモリ４８は、ＣＰＵ４６および画像入力コントローラ４３により制御され、このメモリ４８には、レリーズキー１４ａの指示による撮影開始指示から撮影停止指示までの間の動画撮影により得られた電子データを、保護キー１４ｂによる保護開始指示および保護停止指示のいずれかが行なわれたタイミングで区切ることにより記録単位を形成し、形成された各記録単位を、保護開始指示から保護停止指示までの記録単位には保護すべき記録単位である旨を表わすデータが付されて記録される。また、このメモリ４８には、消去キー１４ｃにより消去が指示された記録単位について、その記録単位が保護すべき記録単位であるか否かに応じて消去が拒否されあるいはその記録単位が消去されたものが記録される。このようにすることにより、保護キー１４ｂを押下することで、必ず新規に１つの記録単位が作成されることとなる。また、１つの記録単位には１つの保護領域しか存在しないこととなる。
【００４２】
本実施形態の電子カメラ２は、レリーズキー１４ａの撮影開始指示により動画撮影が行なわれ、その動画撮影の途中で保護キー１４ｂによる保護開始指示および保護停止指示のいずれかが行なわれたタイミングで、動画撮影により得られた電子データを区切ることにより記録単位とし、各記録単位を、保護開始指示から保護停止指示までの記録単位には保護すべき旨のデータを付して記録するものである。このため、保護すべく電子データには保護すべき旨のデータが付されて記録単位で記録される。従って、メモリ４８や記録メディア１００の記録媒体の、保護が必要な領域と不要な領域との管理が簡素化され、その記録媒体の保護領域における電子データの誤消去を防止することができる。また、また、消去キー１４ｃにより消去が指示された記録単位について、その記録単位が保護すべき記録単位であるか否かに応じて消去の拒否あるいは消去が行なわれるため、保護領域における電子データのみを簡単に抽出することができる。
【００４３】
このように、本実施形態の電子カメラ１，２は、動画の取り込み時に保護領域が設定されるため、消去したくないシーンを誤って消去する危険性が少なくなる。また、動画の取り込み中に重要なシーンを保護領域として設定しておき、取り込み終了後に消去キー１４ｃで消去を実施することで保護領域だけを自動的に抽出することにより、簡単な動画の編集機能を実現することができる。
【００４４】
【発明の効果】
以上説明したように、本発明の電子カメラによれば、保護領域における電子データの誤消去を防止することができる。
【図面の簡単な説明】
【図１】本発明の第１の電子カメラの一実施形態を前面斜め上から見た外観斜視図である。
【図２】図１の電子カメラを背面斜め上から見た外観斜視図である。
【図３】図１に示す電子カメラの回路構成を示すブロック図である。
【図４】図３に示すメモリの、動画撮影における記録単位のフォーマットを示す図である。
【図５】図３に示すメモリの、消去キーにより抽出された第１保護領域だけで構成される記録単位のフォーマットを示す図である。
【図６】本発明の第２の電子カメラの一実施形態の回路構成を示すブロック図である。
【符号の説明】
１，２  電子カメラ
１１  撮影レンズ
１２  光学式ファインダ対物窓
１３  補助光発光部
１４  キー入力部
１４ａ  レリーズキー
１４ｂ  保護キー
１４ｃ  消去キー
１５  電源スイッチ
１６  マイクロフォン
１７  光学式ファインダ接眼窓
１８  メニュースイッチ
１９  実行／画面切換スイッチ
２０  画像モニタ
２１  スピーカ
３１  ＣＣＤセンサ
３２  Ａ／Ｄ変換回路
３３，４３  画像入力コントローラ
３４  画像信号処理回路
３５  圧縮処理回路
３６，４６  ＣＰＵ
３７  メディアコントローラ
３８，４８  メモリ
３８ａ  ヘッダ領域
３８ｂ  動画領域
３９  音声コントローラ
４１，４２  バスライン
１００  記録メディア
【図１】
2004328235.tif 000003
【図２】
2004328235.tif 000004
【図３】
2004328235.tif 000005
【図４】
2004328235.tif 000006
【図５】
2004328235.tif 000007
【図６】
2004328235.tif 000008